【手続補正書】
【提出日】平成23年9月22日(2011.9.22)
【手続補正１】
【補正対象書類名】特許請求の範囲
【補正対象項目名】全文
【補正方法】変更
【補正の内容】
【特許請求の範囲】
【請求項１】
回転式流体変位アセンブリであって、
内壁表面を有する内部空洞を画定する筐体であって、該筐体は、該内壁表面を二分する、筐体面に対して横断的に延在する筐体長手軸を有する、筐体と、
周囲面を有し、該筐体の該内部空洞内に配置されるローターであって、該筐体長手軸に対して偏心しているローター回転軸の周りを回転するように構成される、ローターと、
遠位端を有するゲートであって、該ゲートは、該ローターと共に摺動可能に載置され、該ゲートの該遠位端が該ローターの該周囲面から第１の距離を置いて配置される、第１の位置と、該ゲートの該遠位端が該ローターの該周囲面から第２の距離を置いて配置される、第２の位置との周囲および間で軸方向に移動可能である、ゲートであって、該ゲートの該遠位端は、該ローターが該ローター回転軸の周りを回転する際に、該筐体の該内壁表面から近接して離間しているように拘束される、ゲートと
を備える、回転式流体変位アセンブリ。
【請求項２】
前記ローターの前記周囲面の少なくとも複数部分、前記内壁表面の複数部分、および前記ゲートの前記遠位端に近接している前記ゲートの様々な部分は、前記ローターが前記ローター回転軸の周りを回転する際に、様々な体積の流体チャンバを画定する、請求項１に記載の回転式流体変位アセンブリ。
【請求項３】
前記ローターは、前記流体チャンバと流体連通している、少なくとも１つの入口ポートを有する、請求項２に記載の回転式流体変位アセンブリ。
【請求項４】
前記ゲートは、前記流体チャンバと流体連通している、少なくとも１つの入口ポートを有する、請求項２に記載の回転式流体変位アセンブリ。
【請求項５】
前記ゲートの中の前記少なくとも１つの入口ポートを選択的に開閉するための手段をさらに備える、請求項４に記載の回転式流体変位アセンブリ。
【請求項６】
前記筐体は、前記流体チャンバと流体連通している、少なくとも１つの入口ポートを有する、請求項２に記載の回転式流体変位アセンブリ。
【請求項７】
前記第１の距離は、前記第２の距離よりも大きい、請求項１に記載の回転式流体変位アセンブリ。
【請求項８】
前記第２の距離は、前記ローターの前記周囲面に近接している、請求項１に記載の回転式流体変位アセンブリ。
【請求項９】
前記第２の位置において、前記ゲートの前記遠位端は、前記ローターの前記周囲面またはそれより下にある、請求項１に記載の回転式流体変位アセンブリ。
【請求項１０】
前記筐体は、前記流体チャンバと流体連通している、少なくとも１つの出口ポートを有する、請求項１に記載の回転式流体変位アセンブリ。
【請求項１１】
前記ゲートは、前記流体チャンバと流体連通している、少なくとも１つの出口ポートを有する、請求項１に記載の回転式流体変位アセンブリ。
【請求項１２】
前記ゲートの中の前記少なくとも１つの出口ポートを選択的に開閉するための手段をさらに備える、請求項１１に記載の回転式流体変位アセンブリ。
【請求項１３】
前記ローターは、圧縮チャンバと流体連通している、少なくとも１つの出口ポートを有する、請求項１に記載の回転式流体変位アセンブリ。
【請求項１４】
カム軸の周囲で前記内部空洞内に配置され、前記ゲートの複数部分に選択的に係合して、前記各第１および第２の位置の周囲または間での前記ゲートの軸方向運動をもたらすように構成される、カムをさらに備える、請求項１に記載の回転式流体変位アセンブリ。
【請求項１５】
前記ローターは、前記ゲートの選択部分に作用して、前記ローターの前記周囲面に対して前記ゲートの前記拘束された軸方向運動をもたらすように構成される、請求項１４に記載の回転式流体変位アセンブリ。
【請求項１６】
前記ローターは、前記ゲートの摺動可能な受容のために構成される穴を画定する、請求項１４に記載の回転式流体変位アセンブリ。
【請求項１７】
前記ゲートは、前記カムの複数部分との選択的接触のために構成される、少なくとも１つの荷担面を有する、隙間を画定する、請求項１６に記載の回転式流体変位アセンブリ。
【請求項１８】
前記少なくとも１つの荷担面は、１対の対向する荷担面を備える、請求項１７に記載の回転式流体変位アセンブリ。
【請求項１９】
前記ローターは、前記カムの回転受容のために構成される、中心に配置されたチャンバを画定する、請求項１７に記載の回転式流体変位アセンブリ。
【請求項２０】
前記穴は、前記チャンバを中心で二分する穴軸を有し、前記ゲートの前記１対の対向する荷担面は、前記穴軸に対して実質的に横断的に配置される、請求項１９に記載の回転式流体変位アセンブリ。
【請求項２１】
前記１対の対向する荷担面は、前記ゲートの長手軸に沿って相互から離間され、前記カム軸の周囲で相互の反対側に配置される、請求項２０に記載の回転式流体変位アセンブリ。
【請求項２２】
少なくとも１つの荷担面の少なくとも一部は、湾曲している、請求項１７に記載の回転式流体変位アセンブリ。
【請求項２３】
高流圧における前記ゲートの歪曲および偏位を最小化するための手段をさらに備え、前記ローターの前記穴の少なくとも一部は、円筒断面形状を有し、該ゲートの少なくとも一部は、該ローターの該穴を補完する円筒断面形状を有する、請求項１６に記載の回転式流体変位アセンブリ。
【請求項２４】
前記ゲートの前記遠位端は、約０．０００１インチと約０．２０００インチとの間の拘束範囲で、前記筐体の前記内壁表面から近接して離間しているように拘束される、請求項１に記載の回転式流体変位アセンブリ。
【請求項２５】
前記ゲートの前記遠位端は、約０．０００３インチと約０．１５００インチとの間の拘束範囲で、前記筐体の前記内壁表面から近接して離間しているように拘束される、請求項１に記載の回転式流体変位アセンブリ。
【請求項２６】
前記ゲートの前記遠位端は、約０．０００５インチと約０．１０００インチとの間の拘束範囲で、前記筐体の前記内壁表面から近接して離間しているように拘束される、請求項１に記載の回転式流体変位アセンブリ。
【請求項２７】
前記ゲートの前記遠位端は、前記筐体の内表面の直径の０．０１％と１５．０％との間の拘束範囲で、前記筐体の前記内壁表面から近接して離間しているように拘束される、請求項１に記載の回転式流体変位アセンブリ。
【請求項２８】
前記ローターは、第１の側面と、対向する第２の側面とを有し、該ローターは、該ローターの該それぞれの第１および第２の側面に載置され、それらと共に回転する、１対の端板をさらに備える、請求項２に記載の回転式流体変位アセンブリ。
【請求項２９】
前記１対の端板のうちの少なくとも１つは、前記流体チャンバと流体連通している入口ポートを画定する、請求項２８に記載の回転式流体変位アセンブリ。
【請求項３０】
前記１対の端板のうちの少なくとも１つは、前記流体チャンバと流体連通している出口ポートを画定する、請求項２８に記載の回転式流体変位アセンブリ。
【請求項３１】
前記筐体は、前面と、対向する背面とを有し、前記１対の端板の第１の端板の複数部分は、該筐体の該前面の複数部分に、密閉的かつ摺動可能に接触し、第２の端板の複数部分は、該筐体の該背面の複数部分に、密閉的かつ摺動可能に接触する、請求項２８に記載の回転式流体変位アセンブリ。
【請求項３２】
前記第１の端板と前記筐体の前記前面との間、および前記第２の端板と該筐体の前記背面との間に、実質的に流体不浸透性のシールを提供するための手段をさらに備える、請求項３１に記載の回転式流体変位アセンブリ。
【請求項３３】
実質的に流体不浸透性のシールを提供するための前記手段は、
前記筐体の前記内部空洞を実質的に包囲する該筐体の前記前面および背面の各々において画定される、少なくとも１つのスロットと、
複数のシールであって、各シールは、該筐体の１つのスロットの中での相補的載置のために構成される、複数のシールと
を備える、請求項３２に記載の回転式流体変位アセンブリ。
【請求項３４】
前記ゲートは、対向する近位端を有し、前記第１の位置において、該ゲートの該近位端は、前記ローターの前記周囲面から実質的に前記第２の距離を置いて配置され、前記第２の位置において、該ゲートの該近位端は、該ローターの該周囲面から実質的に前記第１の距離を置いて配置され、該ゲートの近位端は、該ローターが該ローターの回転軸の周りを回転する際に、前記筐体の前記内壁表面から近接して離間しているように拘束される、請求項１に記載の回転式流体変位アセンブリ。
【請求項３５】
回転式流体変位アセンブリであって、
内壁表面を有する内部空洞を画定する筐体であって、該筐体は、該内壁表面を二分する、筐体面に対して横断的に延在する筐体長手軸を有する、筐体と、
周囲面を有し、該筐体の該内部空洞内に配置されるローターであって、該ローターは、該筐体長手軸に対して偏心しているローター回転軸の周りを回転するように構成される、ローターと、
遠位端を有するゲートであって、該ローターと共に摺動可能に載置され、軸方向に移動可能である、ゲートと、
該ローターが該ローター回転軸の周りを回転する際に、該ゲートの該遠位端が、該筐体の該内壁表面から近接して離間して拘束されるように、該ゲートの軸方向運動を拘束するための手段と
を備え、
該ローターの該周囲面の少なくとも複数部分と、該内壁表面の複数部分と、該ゲートの該遠位端に近接している該ゲートの様々な部分は、該ローターが儀ローター回転軸の周りを回転する際に、様々な体積の第１の流体チャンバを画定する、回転式流体変位アセンブリ。
【請求項３６】
回転式流体変位アセンブリであって、
内壁表面を有する内部空洞を画定する筐体であって、該筐体は、該内壁表面を二分する、筐体面に対して横断的に延在する筐体長手軸を有する、筐体と、
周囲面を有するローターであって、該ローターは、該ローターの該周囲面の中に延在する穴軸を有する穴を画定し、該筐体の該内部空洞内に配置され、該筐体長手軸に対して偏心しているローター回転軸の周りを回転するように構成される、ローターと、
遠位端を有するゲートであって、該ゲートは、該ローターの該穴の中に摺動可能に載置され、第１の伸張位置と第２の収縮位置との周囲および間で該穴軸に沿った軸方向運動に対して拘束され、該ゲートの該遠位端は、該ローターが該ローター回転軸の周りを回転する際に、該筐体の該内壁表面から近接して離間しているように拘束される、ゲートと、
カム軸の周囲で該筐体の該内部空洞内に配置されるカムであって、該カムは、該ゲートの複数部分に選択的に係合して、該第１および第２の位置それぞれの周囲および間での該ゲートの該軸方向運動をもたらすように構成される、カムと
を備え、
該ゲートは、該カムの複数部分との選択的な接触のために構成される少なくとも１つの荷担面を有する、隙間を画定し、該ゲートの該遠位端は、約０．０００１インチと約０．２０００インチとの間の拘束範囲で、該筐体の該内壁表面から近接して離間しているように拘束される、回転式流体変位アセンブリ。
【請求項３７】
前記ローターは、前記カムの回転受容のために構成される、中心に配置されたチャンバを画定し、前記穴軸は、該チャンバの中心で二分し、前記少なくとも１つの荷担面は、１対の対向する荷担面を備え、該１対の対向する荷担面は、前記ゲートの長手軸に沿って相互から離間しており、前記カム軸の周囲で相互に対向して配置される、請求項３６に記載の回転式流体変位アセンブリ。
【請求項３８】
前記ローターの前記周囲面の少なくとも複数部分と、前記内壁表面の複数部分と、前記ゲートの前記遠位端に近接している該ゲートの様々な部分は、該ローターが前記ローター回転軸の周りを回転する際に、様々な体積の流体チャンバを画定し、該ローターは、該ゲートの選択部分に作用して、該ローターの周囲面に対する該ゲートの拘束された軸方向運動をもたらすように構成される、請求項３７に記載の回転式流体変位アセンブリ。
【請求項３９】
前記ゲートの前記遠位端は、約０．０００３インチと約０．１５００インチとの間の拘束範囲で、前記筐体の前記内壁表面から近接して離間しているように拘束される、請求項３８に記載の回転式流体変位アセンブリ。
【請求項４０】
前記ゲートの前記遠位端は、約０．０００５インチと約０．１０００インチとの間の拘束範囲で、前記筐体の前記内壁表面から近接して離間しているように拘束される、請求項３８に記載の回転式流体変位アセンブリ。
【請求項４１】
前記ゲートの前記遠位端は、前記筐体の内表面の直径の０．０１％と１５．０％との間の拘束範囲で、該筐体の前記内壁表面から近接して離間しているように拘束される、請求項３８に記載の回転式流体変位アセンブリ。
【請求項４２】
前記ローターは、第１の側面と、対向する第２の側面とを有し、該ローターの該第１および第２の側面それぞれに載置され、それらと共に回転する、１対の端板をさらに備える、請求項３８に記載の回転式流体変位アセンブリ。
【請求項４３】
前記筐体は、前面と、対向する背面とを有し、前記１対の端板の第１の端板の複数部分は、該筐体の該前面の複数部分に、密閉的かつ摺動可能に接触し、該１対の端板の第２の端板の複数部分は、該筐体の該背面の複数部分に、密閉的かつ摺動可能に接触し、該第１の端板と該筐体の前面との間、および該第２の端板と該筐体の背面との間に、実質的に流体不浸透性のシールを提供するための手段をさらに備える、請求項４２に記載の回転式流体変位アセンブリ。
【請求項４４】
前記ローターの前記穴は、円筒断面形状を有し、前記ゲートの少なくとも複数部分は、該ローターの該穴を補完する円筒断面形状を有する、請求項３８に記載の回転式流体変位アセンブリ。
【請求項４５】
回転式流体変位アセンブリであって、
内壁表面を有する内部空洞を画定する筐体であって、該筐体は、該内壁表面を二分する、筐体面に対して横断的に延在する筐体長手軸を有する、筐体と、
周囲面を有し、該筐体の該内部空洞内に配置されるローターであって、該ローターは、該筐体長手軸に対して偏心しているローター回転軸の周りを回転するように構成される、ローターと、
遠位端を有するゲートであって、該ゲートは、該ローターと共に摺動可能に載置され、軸方向に移動可能である、ゲートと、
該ローターが該ローター回転軸の周りを回転する際に、該ゲートの該遠位端が、該筐体の内表面の直径の０．０１％と１５．０％との間の拘束範囲で、該筐体の該内壁表面から近接して離間して拘束されるように、該ゲートの軸方向運動を拘束するための手段と
を備え、
該ローターの該周囲面の少なくとも複数部分と、該内壁表面の複数部分と、該ゲートの該遠位端に近接している該ゲートの様々な部分とは、該ローターが該ローター回転軸の周りを回転する際に、様々な体積の流体チャンバを画定する、回転式流体変位アセンブリ。
【手続補正２】
【補正対象書類名】明細書
【補正対象項目名】００２２
【補正方法】変更
【補正の内容】
【００２２】
本発明のさらなる利点は、以下の説明において部分的に記載され、また説明から部分的に明らかとなるか、あるいは、本明細書の様々な側面に従って記載されるアセンブリを実施することにより理解され得る。アセンブリの利点は、添付の特許請求の範囲に特に指摘された要素および組み合わせにより実現および達成されてもよい。上記の概要および以下の詳細な記載は、例示および説明目的にすぎず、特許請求の範囲に記載した本発明を限定するものではない。
例えば、本発明は以下の項目を提供する。
（項目１）
回転式流体変位アセンブリであって、
内壁表面を有する内部空洞を画定する筐体であって、該筐体は、該内壁表面を二分する、筐体面に対して横断的に延在する筐体長手軸を有する、筐体と、
周囲面を有し、該筐体の該内部空洞内に配置されるローターであって、該筐体長手軸に対して偏心しているローター回転軸の周りを回転するように構成される、ローターと、
遠位端を有するゲートであって、該ゲートは、該ローターと共に摺動可能に載置され、該ゲートの該遠位端が該ローターの該周囲面から第１の距離を置いて配置される、第１の位置と、該ゲートの該遠位端が該ローターの該周囲面から第２の距離を置いて配置される、第２の位置との周囲および間で軸方向に移動可能である、ゲートであって、該ゲートの該遠位端は、該ローターが該ローター回転軸の周りを回転する際に、該筐体の該内壁表面から近接して離間しているように拘束される、ゲートと
を備える、回転式流体変位アセンブリ。
（項目２）
上記ローターの上記周囲面の少なくとも複数部分、上記内壁表面の複数部分、および上記ゲートの上記遠位端に近接している上記ゲートの様々な部分は、上記ローターが上記ローター回転軸の周りを回転する際に、様々な体積の流体チャンバを画定する、項目１に記載の回転式流体変位アセンブリ。
（項目３）
上記ローターは、上記流体チャンバと流体連通している、少なくとも１つの入口ポートを有する、項目２に記載の回転式流体変位アセンブリ。
（項目４）
上記ゲートは、上記流体チャンバと流体連通している、少なくとも１つの入口ポートを有する、項目２に記載の回転式流体変位アセンブリ。
（項目５）
上記ゲートの中の上記少なくとも１つの入口ポートを選択的に開閉するための手段をさらに備える、項目４に記載の回転式流体変位アセンブリ。
（項目６）
上記筐体は、上記流体チャンバと流体連通している、少なくとも１つの入口ポートを有する、項目２に記載の回転式流体変位アセンブリ。
（項目７）
上記第１の距離は、上記第２の距離よりも大きい、項目１に記載の回転式流体変位アセンブリ。
（項目８）
上記第２の距離は、上記ローターの上記周囲面に近接している、項目１に記載の回転式流体変位アセンブリ。
（項目９）
上記第２の位置において、上記ゲートの上記遠位端は、上記ローターの上記周囲面またはそれより下にある、項目１に記載の回転式流体変位アセンブリ。
（項目１０）
上記筐体は、上記流体チャンバと流体連通している、少なくとも１つの出口ポートを有する、項目１に記載の回転式流体変位アセンブリ。
（項目１１）
上記ゲートは、上記流体チャンバと流体連通している、少なくとも１つの出口ポートを有する、項目１に記載の回転式流体変位アセンブリ。
（項目１２）
上記ゲートの中の上記少なくとも１つの出口ポートを選択的に開閉するための手段をさらに備える、項目１１に記載の回転式流体変位アセンブリ。
（項目１３）
上記ローターは、圧縮チャンバと流体連通している、少なくとも１つの出口ポートを有する、項目１に記載の回転式流体変位アセンブリ。
（項目１４）
カム軸の周囲で上記内部空洞内に配置され、上記ゲートの複数部分に選択的に係合して、上記各第１および第２の位置の周囲または間での上記ゲートの軸方向運動をもたらすように構成される、カムをさらに備える、項目１に記載の回転式流体変位アセンブリ。
（項目１５）
上記ローターは、上記ゲートの選択部分に作用して、上記ローターの上記周囲面に対して上記ゲートの上記拘束された軸方向運動をもたらすように構成される、項目１４に記載の回転式流体変位アセンブリ。
（項目１６）
上記ローターは、上記ゲートの摺動可能な受容のために構成される穴を画定する、項目１４に記載の回転式流体変位アセンブリ。
（項目１７）
上記ゲートは、上記カムの複数部分との選択的接触のために構成される、少なくとも１つの荷担面を有する、隙間を画定する、項目１６に記載の回転式流体変位アセンブリ。
（項目１８）
上記少なくとも１つの荷担面は、１対の対向する荷担面を備える、項目１７に記載の回転式流体変位アセンブリ。
（項目１９）
上記ローターは、上記カムの回転受容のために構成される、中心に配置されたチャンバを画定する、項目１７に記載の回転式流体変位アセンブリ。
（項目２０）
上記穴は、上記チャンバを中心で二分する穴軸を有し、上記ゲートの上記１対の対向する荷担面は、上記穴軸に対して実質的に横断的に配置される、項目１９に記載の回転式流体変位アセンブリ。
（項目２１）
上記１対の対向する荷担面は、上記ゲートの長手軸に沿って相互から離間され、上記カム軸の周囲で相互の反対側に配置される、項目２０に記載の回転式流体変位アセンブリ。
（項目２２）
少なくとも１つの荷担面の少なくとも一部は、湾曲している、項目１７に記載の回転式流体変位アセンブリ。
（項目２３）
高流圧における上記ゲートの歪曲および偏位を最小化するための手段をさらに備える、項目１６に記載の回転式流体変位アセンブリ。
（項目２４）
上記ローターの上記穴の少なくとも一部は、円筒断面形状を有し、上記ゲートの少なくとも複数部分は、該ローターの該穴を補完する円筒断面形状を有する、項目２３に記載の回転式流体変位アセンブリ。
（項目２５）
上記円筒断面形状を有する上記ゲートの上記少なくとも複数部分の外側部上に載置される、少なくとも１つの密閉要素をさらに備える、項目２４に記載の回転式流体変位アセンブリ。
（項目２６）
上記ゲートの上記遠位端は、約０．０００１インチと約０．２０００インチとの間の拘束範囲で、上記筐体の上記内壁表面から近接して離間しているように拘束される、項目１に記載の回転式流体変位アセンブリ。
（項目２７）
上記ゲートの上記遠位端は、約０．０００３インチと約０．１５００インチとの間の拘束範囲で、上記筐体の上記内壁表面から近接して離間しているように拘束される、項目１に記載の回転式流体変位アセンブリ。
（項目２８）
上記ゲートの上記遠位端は、約０．０００５インチと約０．１０００インチとの間の拘束範囲で、上記筐体の上記内壁表面から近接して離間しているように拘束される、項目１に記載の回転式流体変位アセンブリ。
（項目２９）
上記ゲートの上記遠位端は、上記筐体の内表面の直径の０．０１％と１５．０％との間の拘束範囲で、上記筐体の上記内壁表面から近接して離間しているように拘束される、項目１に記載の回転式流体変位アセンブリ。
（項目３０）
上記ゲートの上記遠位端は、スロットを画定し、該ゲートの該スロットの中で移動可能である少なくとも１つの平面部材を備えるシールアセンブリをさらに備える、項目１に記載の回転式流体変位アセンブリ。
（項目３１）
上記シールアセンブリは、上記ローターが回転する際に、上記少なくとも１つの平面部材に選択的に作用して、該少なくとも１つの平面部材の外縁部を上記筐体の上記内壁表面と摺動接触している状態に維持するように構成される、付勢要素をさらに備える、項目３０に記載の回転式流体変位アセンブリ。
（項目３２）
上記シールアセンブリは、上記ローターが回転する際に、上記少なくとも１つの平面部材の上記外縁部を上記筐体の上記内壁表面と摺動接触している状態に維持するように、該少なくとも１つの平面部材に作用する付勢力を適用するための手段をさらに備える、項目３０に記載の回転式流体変位アセンブリ。
（項目３３）
上記少なくとも１つの平面部材の質量は、上記ゲートの質量の約５０パーセント未満である、項目３０に記載の回転式流体変位アセンブリ。
（項目３４）
上記少なくとも１つの平面部材の質量は、上記ゲートの質量の約１０パーセント未満である、項目３０に記載の回転式流体変位アセンブリ。
（項目３５）
上記少なくとも１つの平面部材の質量は、上記ゲートの質量の約２パーセント未満である、項目３０に記載の回転式流体変位アセンブリ。
（項目３６）
上記少なくとも１つの平面部材の質量は、上記ゲートの質量の約１と約６０パーセントとの間である、項目３０に記載の回転式流体変位アセンブリ。
（項目３７）
上記ローターは、第１の側面と、対向する第２の側面とを有し、該ローターは、該ローターの該それぞれの第１および第２の側面に載置され、それらと共に回転する、１対の端板をさらに備える、項目２に記載の回転式流体変位アセンブリ。
（項目３８）
上記１対の端板のうちの少なくとも１つは、上記流体チャンバと流体連通している入口ポートを画定する、項目３７に記載の回転式流体変位アセンブリ。
（項目３９）
上記１対の端板のうちの少なくとも１つは、上記流体チャンバと流体連通している出口ポートを画定する、項目３７に記載の回転式流体変位アセンブリ。
（項目４０）
上記筐体は、前面と、対向する背面とを有し、上記１対の端板の第１の端板の複数部分は、該筐体の該前面の複数部分に、密閉的かつ摺動可能に接触し、第２の端板の複数部分は、該筐体の該背面の複数部分に、密閉的かつ摺動可能に接触する、項目３７に記載の回転式流体変位アセンブリ。
（項目４１）
上記第１の端板と上記筐体の上記前面との間、および上記第２の端板と該筐体の上記背面との間に、実質的に流体不浸透性のシールを提供するための手段をさらに備える、項目４０に記載の回転式流体変位アセンブリ。
（項目４２）
実質的に流体不浸透性のシールを提供するための上記手段は、
上記第１および第２の端板の各々の周囲部内に画定される、少なくとも１つのスロットと、
複数のシールであって、各シールは、該第１および第２の端板の１つのスロットの中での相補的載置のために構成される、複数のシールと
を備える、項目４１に記載の回転式流体変位アセンブリ。
（項目４２）
実質的に流体不浸透性のシールを提供するための上記手段は、
上記筐体の上記内部空洞を実質的に包囲する該筐体の上記前面および背面の各々において画定される、少なくとも１つのスロットと、
複数のシールであって、各シールは、該筐体の１つのスロットの中での相補的載置のために構成される、複数のシールと
を備える、項目４１に記載の回転式流体変位アセンブリ。
（項目４３）
上記筐体の上記内壁表面と上記ローターの上記周囲面との間の最小の運転時クリアランスの位置に近接して、該筐体の該内壁表面から外向きに延在するシール要素をさらに備え、該シール要素の縁部は、該ローターの該周囲面との選択的な摺動可能接触のために構成される、項目１に記載の回転式流体変位アセンブリ。
（項目４４）
上記ローターが回転する際に、上記ゲートの上記遠位端が上記シール要素の上方を通過する時に、該シール要素の上記縁部が、上記筐体の上記内壁表面またはそれより下にあるように、該筐体内で該シール要素を引き出すための手段をさらに備える、項目４３に記載の回転式流体変位アセンブリ。
（項目４５）
上記ゲートは、対向する近位端を有し、上記第１の位置において、該ゲートの該近位端は、上記ローターの上記周囲面から実質的に上記第２の距離を置いて配置され、上記第２の位置において、該ゲートの該近位端は、該ローターの該周囲面から実質的に上記第１の距離を置いて配置される、項目１に記載の回転式流体変位アセンブリ。
（項目４６）
上記ゲートの上記近位端は、上記ローターが上記ローター回転軸の周りを回転する際に、上記筐体の上記内壁表面から近接して離間しているように拘束される、項目４５に記載の回転式流体変位アセンブリ。
（項目４７）
上記ローターの上記周囲面の少なくとも複数部分と、上記内壁表面の複数部分と、上記ゲートの上記遠位端に近接している該ゲートの様々な部分は、該ローターが上記ローター回転軸の周りを回転する際に、様々な体積の第１の流体チャンバを画定し、該ローターの該周囲面の少なくとも複数部分と、該内壁表面の複数部分と、該ゲートの上記近位端に近接している該ゲートの様々な部分は、該ローターが該ローター回転軸の周りを回転する際に、様々な体積の第２の流体チャンバを画定する、項目４６に記載の回転式流体変位アセンブリ。
（項目４８）
上記ゲートの上記遠位端は、上記第１の流体チャンバと流体連通している少なくとも１つの入口ポートを画定し、該ゲートの上記近位端は、上記第２の流体チャンバと流体連通している少なくとも１つの入口ポートを画定する、項目４７に記載の回転式流体変位アセンブリ。
（項目４９）
上記ゲートの上記遠位端および近位端それぞれの中の上記少なくとも１つの入口ポートを選択的に開閉するための手段をさらに備える、項目４８に記載の回転式流体変位アセンブリ。
（項目５０）
上記筐体は、上記第１および第２の流体チャンバそれぞれと流体連通している、少なくとも１つの入口ポートを有する、項目４８に記載の回転式流体変位アセンブリ。
（項目５１）
回転式流体変位アセンブリであって、
内壁表面を有する内部空洞を画定する筐体であって、該筐体は、該内壁表面を二分する、筐体面に対して横断的に延在する筐体長手軸を有する、筐体と、
周囲面を有し、該筐体の該内部空洞内に配置されるローターであって、該ローターは、該筐体長手軸に対して偏心しているローター回転軸の周りを回転するように構成される、ローターと、
遠位端を有するゲートであって、該ローターと共に摺動可能に載置され、軸方向に移動可能である、ゲートと、
該ローターが該ローター回転軸の周りを回転する際に、該ゲートの該遠位端が、該筐体の該内壁表面から近接して離間して拘束されるように、該ゲートの軸方向運動を拘束するための手段と
を備え、
該ローターの該周囲面の少なくとも複数部分と、該内壁表面の複数部分と、該ゲートの該遠位端に近接している該ゲートの様々な部分は、該ローターが儀ローター回転軸の周りを回転する際に、様々な体積の第１の流体チャンバを画定する、回転式流体変位アセンブリ。
（項目５２）
回転式流体変位アセンブリであって、
内壁表面を有する内部空洞を画定する筐体であって、該筐体は、該内壁表面を二分する、筐体面に対して横断的に延在する筐体長手軸を有する、筐体と、
周囲面を有するローターであって、該ローターは、該ローターの該周囲面の中に延在する穴軸を有する穴を画定し、該筐体の該内部空洞内に配置され、該筐体長手軸に対して偏心しているローター回転軸の周りを回転するように構成される、ローターと、
遠位端を有するゲートであって、該ゲートは、該ローターの該穴の中に摺動可能に載置され、第１の伸張位置と第２の収縮位置との周囲および間で該穴軸に沿った軸方向運動に対して拘束され、該ゲートの該遠位端は、該ローターが該ローター回転軸の周りを回転する際に、該筐体の該内壁表面から近接して離間しているように拘束される、ゲートと、
カム軸の周囲で該筐体の該内部空洞内に配置されるカムであって、該カムは、該ゲートの複数部分に選択的に係合して、該第１および第２の位置それぞれの周囲および間での該ゲートの該軸方向運動をもたらすように構成される、カムと
を備え、
該ゲートは、該カムの複数部分との選択的な接触のために構成される少なくとも１つの荷担面を有する、隙間を画定し、該ゲートの該遠位端は、約０．０００１インチと約０．２０００インチとの間の拘束範囲で、該筐体の該内壁表面から近接して離間しているように拘束される、回転式流体変位アセンブリ。
（項目５３）
上記ローターは、上記カムの回転受容のために構成される、中心に配置されたチャンバを画定し、上記穴軸は、該チャンバの中心で二分する、項目５２に記載の回転式流体変位アセンブリ。
（項目５４）
上記少なくとも１つの荷担面は、１対の対向する荷担面を備え、該１対の対向する荷担面は、上記ゲートの長手軸に沿って相互から離間しており、上記カム軸の周囲で相互に対向して配置される、項目５３に記載の回転式流体変位アセンブリ。
（項目５５）
上記ローターの上記周囲面の少なくとも複数部分と、上記内壁表面の複数部分と、上記ゲートの上記遠位端に近接している該ゲートの様々な部分は、該ローターが上記ローター回転軸の周りを回転する際に、様々な体積の流体チャンバを画定する、項目５４に記載の回転式流体変位アセンブリ。
（項目５６）
上記ローターは、上記ゲートの選択部分に作用して、該ローターの上記周囲面に対する該ゲートの拘束された軸方向運動をもたらすように構成される、項目５５に記載の回転式流体変位アセンブリ。
（項目５７）
上記ゲートの上記遠位端は、約０．０００３インチと約０．１５００インチとの間の拘束範囲で、上記筐体の上記内壁表面から近接して離間しているように拘束される、項目５５に記載の回転式流体変位アセンブリ。
（項目５８）
上記ゲートの上記遠位端は、約０．０００５インチと約０．１０００インチとの間の拘束範囲で、上記筐体の上記内壁表面から近接して離間しているように拘束される、項目５５に記載の回転式流体変位アセンブリ。
（項目５９）
上記ゲートの上記遠位端は、上記筐体の内表面の直径の０．０１％と１５．０％のと間の拘束範囲で、該筐体の上記内壁表面から近接して離間しているように拘束される、項目５５に記載の回転式流体変位アセンブリ。
（項目６０）
上記ゲートの上記遠位端は、スロットを画定し、かつ、該ゲートの該スロットの中で移動可能である少なくとも１つの平面部材を備えるシールアセンブリをさらに備える、項目５５に記載の回転式流体変位アセンブリ。
（項目６１）
上記シールアセンブリは、上記ローターが回転する際に、上記少なくとも１つの平面部材に選択的に作用して、該少なくとも１つの平面部材の上記外縁部を上記筐体の上記内壁表面と摺動接触している状態に維持するように構成される、付勢要素をさらに備える、項目６０に記載の回転式流体変位アセンブリ。
（項目６２）
上記シールアセンブリは、上記ローターが回転する際に、上記少なくとも１つの平面部材の上記外縁部を上記筐体の上記内壁表面と摺動可能に接触している状態に維持するように、該少なくとも１つの平面部材に作用する付勢力を適用するための手段をさらに備える、項目６０に記載の回転式流体変位アセンブリ。
（項目６３）
上記少なくとも１つの平面部材の質量は、上記ゲートの質量の約１０パーセント未満である、項目６０に記載の回転式流体変位アセンブリ。
（項目６４）
上記少なくとも１つの平面部材の質量は、上記ゲートの質量の約２パーセント未満である、項目６０に記載の回転式流体変位アセンブリ。
（項目６５）
上記少なくとも１つの平面部材の質量は、上記ゲートの質量の約１と約６０パーセントとの間である、項目６０に記載の回転式流体変位アセンブリ。
（項目６６）
上記ローターは、第１の側面と、対向する第２の側面とを有し、該ローターの該第１および第２の側面それぞれに載置され、それらと共に回転する、１対の端板をさらに備える、項目５５に記載の回転式流体変位アセンブリ。
（項目６７）
上記筐体は、前面と、対向する背面とを有し、上記１対の端板の第１の端板の複数部分は、該筐体の該前面の複数部分に、密閉的かつ摺動可能に接触し、該１対の端板の第２の端板の複数部分は、該筐体の該背面の複数部分に、密閉的かつ摺動可能に接触する、項目６６に記載の回転式流体変位アセンブリ。
（項目６８）
上記第１の端板と上記筐体の上記前面との間、および上記第２の端板と該筐体の上記背面との間に、実質的に流体不浸透性のシールを提供するための手段をさらに備える、項目６７に記載の回転式流体変位アセンブリ。
（項目６９）
上記筐体の上記内壁表面と上記ローターの上記周囲面との間の最小の運転時クリアランスの位置に近接して、該筐体の該内壁表面から外向きに延在するシール要素をさらに備え、該シール要素の縁部は、該ローターの該周囲面との選択的な摺動可能接触のために構成される、項目５５に記載の回転式流体変位アセンブリ。
（項目７０）
上記ローターが回転する際に、上記ゲートの上記遠位端が上記シール要素の上方を通過する時に、該シール要素の上記縁部が、上記筐体の上記内壁表面またはそれより下にあるように、該筐体内で該シール要素を引き出すための手段をさらに備える、項目６９に記載の回転式流体変位アセンブリ。
（項目７１）
上記シール要素は、上記筐体面に対してある角度を成して配置される、項目７０に記載の回転式流体変位アセンブリ。
（項目７２）
上記ローターの上記穴は、円筒断面形状を有し、上記ゲートの少なくとも複数部分は、該ローターの該穴を補完する円筒断面形状を有する、項目５５に記載の回転式流体変位アセンブリ。
（項目７３）
回転式流体変位アセンブリであって、
周囲面を有するローターであって、ローター軸を有するローターと、
内壁表面を有する内部空洞を画定する筐体であって、該筐体は、該ローター軸に対して偏心している筐体長手軸の回転するように構成され、該ローターは該筐体の該内部空洞内に配置される、筐体と、
遠位端を有するゲートであって、該ゲートは、該ローターと共に摺動可能に載置され、該ゲートの該遠位端が該ローターの該周囲面から第１の距離を置いて配置される、第１の位置と、該ゲートの該遠位端が該ローターの該周囲面から第２の距離を置いて配置される、第２の位置との周囲および間で軸方向に移動可能であり、該ゲートの該遠位端は、該筐体が該筐体長手軸の周りを回転する際に、該筐体の該内壁表面から近接して離間しているように拘束される、ゲートと
を備え、
該ローターの該周囲面の少なくとも複数部分と、該内壁表面の複数部分と、該ゲートの該遠位端に近接している該ゲートの様々な部分とは、該筐体が該筐体長手軸の周りを回転する際に、様々な体積の流体チャンバを画定し、該ローター軸は、筐体面に対して横断的に延在し、該筐体の該内壁表面を二分する、回転式流体変位アセンブリ。
（項目７４）
回転式流体変位アセンブリであって、
内壁表面を有する内部空洞を画定する筐体であって、該筐体は、該内壁表面を二分する、筐体面に対して横断的に延在する筐体長手軸を有する、筐体と、
周囲面を有し、該筐体の該内部空洞内に配置されるローターであって、該ローターは、該筐体長手軸に対して偏心しているローター回転軸の周りを回転するように構成される、ローターと、
遠位端を有するゲートであって、該ゲートは、該ローターと共に摺動可能に載置され、軸方向に移動可能である、ゲートと、
該ローターが該ローター回転軸の周りを回転する際に、該ゲートの該遠位端が、該筐体の内表面の直径の０．０１％と１５．０％との間の拘束範囲で、該筐体の該内壁表面から近接して離間して拘束されるように、該ゲートの軸方向運動を拘束するための手段と
を備え、
該ローターの該周囲面の少なくとも複数部分と、該内壁表面の複数部分と、該ゲートの該遠位端に近接している該ゲートの様々な部分とは、該ローターが該ローター回転軸の周りを回転する際に、様々な体積の流体チャンバを画定する、回転式流体変位アセンブリ。